(57)【要約】  本発明は、浮体式プラットホーム（１４）と、プラットホームに載ったターボ機械（１２）とを備えた浮体式風力タービン（１０）に関する。ターボ機械は、第１の平面に対して対称に配置された第１および第２の横断流タービン（２４）と、タービンを保持する構造（２６）とを備えている。各タービンはブレード（３２）を備えている。ブレードは、端部でアームによって延長された中央部（３３）を備えており、そのアームが、ピボット結合部（７４、７６）によって軸要素（５２、５６）に連結されている。各タービンは、上部および下部フェアリング（４２、４４）をさらに備えている。タービンを保持する構造（２６）は、タービンのブレードの回転軸（Ａ、Ａ’）を含む第２の平面の上流側でタービン間に位置する垂直の中央パイロン（２８）を備えている。
2019507847.tif 000002
【特許請求の範囲】
【請求項１】
浮体式プラットホーム（１４）と、そのプラットホームに載ったタービンエンジン（１２）とを備えた浮体式風力タービン（１０）であって、
前記タービンエンジンが、
−  第１の平面に対して対称に配置された第１および第２の垂直軸タービン（２４）であって、
各タービンが、中央部（３３）と特定形状のアーム（３４、３６）とを備えた２以上のＮ枚のブレード（３２）を備えており、
前記タービンのブレードの回転軸（Ａ、Ａ’）が、前記第１の平面に垂直な第２の平面内に含まれており、
前記ブレードの中央部が、回転時に前記回転軸（Ａ、Ａ’）を中心として円筒を描くとともに、端部で前記アームによって延出されており、
前記アームが、ピボット結合部（７４、７６）によって車軸要素（５２、５６）に連結されており、
前記アーム（３４、３６）が、前記ブレード（３２）の回転軸（Ａ、Ａ’）と垂直であり、前記各ブレード（３２）の中央部（３３）が、前記各アーム（３４、３６）に特定形状のＬ字屈曲部（３８、４０）を介して連結されており、
前記各ブレード（３２）において、前記ブレードの回転軸（Ａ、Ａ’）と平行に測定された、前記ブレードの中央部（３３）の高さが、前記ブレードの回転軸（Ａ、Ａ’）と平行に測定された、前記ブレードの中央部に連結された前記２つのアーム（３４、３６）の間の高さの２／３以上であり、
前記各タービンが、前記車軸要素同士を連結するシャフトを除いて、支持構造を備えた上部および下部の２つの水平フェアリング（４２、４４；１２６、１２８）によって保持されている、
前記の第１および第２の垂直軸タービン（２４）；および
−  前記タービン間の垂直な中央パイロン（２８）に連結され、前記支持構造を備えた上部および下部水平フェアリングを備えるように構成されている、前記タービンを保持する構造；
を備える、前記浮体式風力タービン（１０）。
【請求項２】
前記各Ｌ字屈曲部（３８、４０）の曲率半径が、どの位置においても、４分の１円の半径から５％未満だけずれている、請求項１に記載の浮体式風力タービン。
【請求項３】
前記各Ｌ字屈曲部（３８、４０）の外形が、前記Ｌ字屈曲部が連結されている前記ブレードの中央部の外形の特徴から前記Ｌ字屈曲部が連結されている前記アームの外形の特徴への単調な移行を示している、請求項１または２に記載の浮体式風力タービン。
【請求項４】
前記各タービンの前記上部および下部水平フェアリングが、中央の平面に対して対称形状の略三角形の断面を有する、前記タービン間の垂直中央パイロンに連結されており、
前記中央パイロンが、風向きに対して上流側の円弧状の表面と、２個の平坦または凹状の側面とを備えており、前記表面と前記側面とが前記中央の平面内に含まれる消失線に向かって下流側で合流しており、
前記パイロンが、該パイロンの上流側部分において、前記タービンのブレードの回転軸を含む前記第２の平面の上流側に配置された、軸線Ｏを有するほぼ円筒状のタワーによって、前記浮体式支持体に接続されている、請求項１〜３のいずれか一項に記載の浮体式風力タービン。
【請求項５】
前記各タービン（２４）が、前記各ブレード（３２）を該ブレードの上半部内に位置する点から前記タービンの前記上部ピボット結合部の部品まで連結する斜め牽引線（６６）と、前記各ブレード（３２）を該ブレードの下半部内に位置する点から前記タービンの前記下部ピボット結合部の回転部品まで連結する第２の斜め牽引線とを備えている、請求項１〜４のいずれか一項に記載の浮体式風力タービン。
【請求項６】
前記各タービン（２４）が、水平牽引線を備えており、この水平牽引線が、該タービンの前記各ブレード（３２）を、該ブレード沿いの途中の近傍に位置する高さで、前記タービンの回転軸上に配置された共通の結節点を介して、前記タービンの他方のブレードに連結させている、請求項１〜４のいずれか一項に記載の浮体式風力タービン。
【請求項７】
前記各牽引線が特定形状のスリーブで被覆されており、該スリーブが、前記牽引線が前記ブレード（３２）と接する区域を除いて、前記牽引線の略全長にわたって延びている、請求項５または６に記載の浮体式風力タービン。
【請求項８】
前記ブレード（３２）の中央部が、回転時に直径Ｄの円筒を描くとともに、前記ブレードの輪郭の翼弦をｃとした場合に、０．２未満のソリディティＳ＝２Ｎｃ／Ｄを有する、請求項１〜７のいずれか一項に記載の浮体式風力タービン。
【請求項９】
前記タービンエンジン（１２）が前記浮体式プラットホーム（１４）に対しての回動に適するように、前記パイロン（２８）が、前記ピボット結合部の雄型部分の役割をする、軸線Ｏを有する円筒部によって延長され、該円筒部が、タワー（１８）内に設けられた、ピボット結合部の雌型部分の役割をする、軸線Ｏを有する円筒状開口に入る、請求項１〜８のいずれか一項に記載の浮体式風力タービン。
【請求項１０】
上部および下部支持構造を備えた各水平フェアリング（４２、４４；１２６、１２８）が、半翼型によって形成されており、前記各水平フェアリングの端部の内側には、固定された車軸要素と、前記半翼型の外側に延びる回転ハブ（５０、５４）とを備えたピボット結合部が配置されており、前記各水平フェアリングには、前記タービン（２４）のブレード（３２）のアーム（３４、３６）が、ディスク（５１、５５）を介して、外側から取り付けられている、請求項１〜９のいずれか一項に記載の浮体式風力タービン。
【請求項１１】
前記各フェアリング（４２、４４；１２６、１２８）の支持構造が、前記フェアリングの内側に位置する翼桁、リブおよびケーブルと、前縁の近傍で前記パイロン（２８）に連結された、前記各半翼型の幅に応じた長尺の環状構造管とを備えている、請求項１０に記載の浮体式風力タービン。
【請求項１２】
前記上部フェアリングに対して、前記パイロンの頂部の前記支持体から前記半翼型の車軸要素までつながるガイシステムの外部牽引線と、前記下部フェアリングに対して、前記パイロンを前記半翼型の車軸要素に連結する外部支持材とを備えている、請求項１１に記載の浮体式風力タービン。
【請求項１３】
前記環状構造管が、保守作業者が通るのに適している、請求項１１または１２に記載の浮体式風力タービン。
【請求項１４】
前記支持構造を備えた上部および下部水平フェアリング（４２、４４；１２６、１２８）のそれぞれが、中心部でピボット結合部を収容するとともに風から保護する扁平回転楕円によって形成されており、前記ピボット結合部が、前記フェアリングの内側に固定された固定車軸要素（５２、５６）と、前記車軸要素を中心として回転するハブ（５０、５４）とを備えており、
前記タービン（２４）のブレード（３２）のアーム（３４、３６）が、前記回転するハブと一体物を形成する回転ディスク（５１、５５）と、前記タービンのブレードのＬ字屈曲部（３８、４０）のうち、２分の１から全部までの間での部分とに接続されている、請求項１〜９のいずれか一項に記載の浮体式風力タービン。
【請求項１５】
前記タービンの各フェアリング（４２、４４）が、該フェアリングの前記車軸要素（５２、５６）に固定されたカウル（５８、６０）に部分的に閉じられたハウジング（４６、４８）を備えており、前記カウルの端縁と前記フェアリングの残部との間に、前記タービンのブレード（３２）が通過する環状の開口（６２）が残されている、請求項１４に記載の浮体式風力タービン。
【請求項１６】
前記保持構造（２６）が、前記第１の中央平面内における前記第２の平面の風向き下流側に垂直安定化支柱（３０）を備えている、請求項１４または１５に記載の風車。
【請求項１７】
前記の各フェアリング（４２、４４）の支持構造が、第１の構造管（６４）によって前記中央パイロン（２８）に連結されるとともに、第２の構造管（６４）によって前記垂直安定化支柱（３０）に連結された環状管（７０）を備えている、請求項１４〜１６のいずれか一項に記載の浮体式風力タービン。
【請求項１８】
前記第１の構造管（６４）が、保守作業者が通るのに適している、請求項１７に記載の浮体式風力タービン。
【請求項１９】
各タービン（２４）が、前記支持構造を備えた前記下部水平フェアリングの内部または下に収容された、前記タービンのブレード（３２）によって駆動される発電機（８０）を備えている、請求項１〜１８のいずれか一項に記載の浮体式風力タービン。
【請求項２０】
前記発電機（８０）が、直接駆動式永久磁石同期発電機である、請求項１９に記載の浮体式風力タービン。
【請求項２１】
前記発電機（８０）がディスクブレーキ（９６）を備えている、請求項１９または２０に記載の浮体式風力タービン。
【請求項２２】
前記発電機（８０）によって生み出される電気を送出するケーブル、および／または前記発電機（８０）および／または前記ディスクブレーキを監視するケーブル、および／または前記発電機（８０）および／または前記ディスクブレーキを制御するケーブルが、前記構造管（６４）内に配置されている、請求項１７とともに請求項１９に記載の浮体式風力タービン。
【請求項２３】
各ブレード（３２）が、炭素繊維を用いた複合材料から製造されている、請求項１〜２２のいずれか一項に記載の浮体式風力タービン。
【請求項２４】
前記各ブレード（３２）が、パネル、前記中央部、前記上部および下部アームにおいて製造されており、前記上部および下部Ｌ字屈曲部が別途製造されている、請求項１〜２３のいずれか一項に記載の浮体式風力タービン。
【請求項２５】
前記パネルが、前記翼型を再構成するために、現場において後で接続される、請求項２４に記載の浮体式風力タービン。
【発明の詳細な説明】
【発明の詳細な説明】
【０００１】
本発明は、仏国特許出願第１６／５１９１３号明細書の優先権を主張するものであり、この仏国特許出願第１６／５１９１３号明細書は、本明細書の不可欠な部分を形成するものとして考慮されるものである。
【技術分野】
【０００２】
本発明は、浮体式風力タービンに関し、特に沖合で使用される浮体式風力タービンに関する。
【従来技術の説明】
【０００３】
陸上に設置された風車の大部分は、一般的に３枚のブレードを備えた軸流タービンを備えており、そのタービンの回転軸は、風車に到達する入射風の方向と平行である。このような風車を水平軸風車（Ｈｏｒｉｚｏｎｔａｌ−Ａｘｉｓ  Ｗｉｎｄ  Ｔｕｒｂｉｎｅ：ＨＡＷＴ）と称する。ブレードは、タワーの上端でナセルに支えられている。陸上にあるその他の風車は、回転軸が風向きと垂直なクロスフロータービンを備えており、水平方向や、ほとんどの場合垂直方向に配置され、垂直軸風車（Ｖｅｒｔｉｃａｌ−Ａｘｉｓ  Ｗｉｎｄ  Ｔｕｒｂｉｎｅ：ＶＡＷＴ）と呼ばれる。風車のブレードは、シャフトを駆動回転させ、次に、そのシャフトが発電機（ジェネレータとも称する）を駆動する。
【０００４】
最近は、風がより強く、より一定である沖合に風車を設置する傾向にある。現在稼働中の沖合の風車は、主として軸流タービンを備えている。軸流タービンを支えるタワーの下端は、５０〜６０ｍより浅い深さの海底に、土壌の性質に適した様々なシステムを用いて固定されている。しかしながら、深さの浅い場所の数は限られており、そのため、係留システムによって海底に結合される浮体式支持構造物を備えた、浮体式風力タービンと呼ばれる洋上風車を設計することが望ましい。
【０００５】
浮体式風力タービン用に提案された設計の多くは、ＨＡＷＴを使用している。この選択は、陸上の風車または沖合設置型の風車に採用された解決策との継続性をもたらすので、安心感を抱かせる。しかしながら、いくつかの理由でＨＡＷＴは沖合浮体式風力タービンにあまり適していないように思われるために、その選択には疑問を抱く場合がある。その理由の一つは、動力伝達部品（オプションで増速歯車装置として作用するギアボックスを備えている）、発電機および制御室を収容したナセルがタワーの頂部に配置されていることである。（ナセルの内容物が水面近くや水面下にさえ収容されるＶＡＷＴと比べて、）タワーの頂部に載せられたナセルの高い位置は、（ａ）アクセスの難しさにより、海での保守作業が困難であること、（ｂ）鉛直安定性を実現するためのプラットホームによるピッチとロールの補償が、重い部品、発電機および増速歯車装置のかなりの重量のせいで、より困難であること、（ｃ）設置作業が大型クレーンを必要とし、より困難であることを意味する。
【０００６】
また、ＨＡＷＴには、追加で必要な調整があり、例えば、（ｄ）ＶＡＷＴが風向きに対して鈍感であるのに対して、ヨーのための空力学的調整が必要であって、さらに、ヨー調整用のサーボ機構もナセルと接続されたタワー上端に載せられており、（ｅ）ナセル内部の熱制御（ジェネレータ、増速歯車装置）も必要とされ、この機能は、水の安定した影響からはほど遠い、海上のこの高さでの著しい温度変動のせいで不可欠である。最後に、（ｆ）ＨＡＷＴのブレードは、浮体式風力タービンの動力増大とともに増加する重量のせいで、繰り返し重力荷重応力を受ける。この増加は、このタイプの風車のコストの最適化に起因するものである。そのために、設計段階でのスケーリングが難しくなる。
【０００７】
ＨＡＷＴよりむしろＶＡＷＴを用いて浮体式風力タービンを開発するほうが有利であるように思われる。ＶＡＷＴについて多数の例が記述されている。これらの例のうち、ＶＡＷＴに分類されるが、対向するブレード間の差動抗力の原理で作動するサボニウスタイプの垂直タービンは、その出力が非常に低いせいで、設置および保守点検コストの正当性を示すために動力レベルが非常に高くなければならない浮体式風力タービン事業計画には不向きであるため、本明細書では検討されない。一方、第２のタイプのＶＡＷＴは、１枚のブレードに対する揚力の原理で作動し、トロポスカイン（ｔｒｏｐｏｓｋｅｉｎ）形状のブレードを備えたダリウス型タービン、または直線状もしくは螺旋状のブレードを備えたＨ型構成のタービン、またはＶ字形状のタービンに分類される。例として、国際公開第２００９／０３６１０７号パンフレットには、ダリウス型タービンを備えた浮体式ＶＡＷＴが記載されており、国際公開第２０１０／１２０１８２号パンフレットには、直線状ブレードを備えたＨ型タービンからなる浮体式ＶＡＷＴが記載されている。
【０００８】
しかしながら、第２のタイプのＶＡＷＴには、いくつかの欠点がいまだに存在し、その一部が原因で陸上でのＶＡＷＴの不成功につながっており、解消または低減される必要がある。
（ｉ）第２のタイプのＶＡＷＴが生み出す動力は、第１のタイプのＶＡＷＴの動力よりも高いが、同じ大きさのＨＡＷＴが生み出す動力よりなおもって低いことが一般に認められている。この欠点を低減させるために、いくつかの解決策が試みられている。Ｈ型タービンは、実際に、アーム−ブレード接続部および翼型端部で明白な散逸ロスを被っている。そのため、最適な効率が一般的にあまり高くない。上記効率は、成型複合材料を用いた特定形状のブレード−アーム接続部によって抗力を低減させることにより、特に、迎え角調整装置を設けることにより、少しだけ向上させることができる。上記装置は、保守管理を制限せざるを得ない厳しい洋上環境に機械的な複雑さを持ち込むことになる。一方、ダリウス型タービンの最適な効率は、低減された（０．３未満）ソリディティＳ＝２Ｎｃ／Ｄ（Ｎはブレード枚数、ｃは翼弦、Ｄ／２はタービン半径）と高い（４を超える）最適な進行パラメータλ＝ωＤ／２Ｖｉ（ωはタービンの回転角速度、Ｖｉは入射風速）のおかげで明らかにより高い。タービンの最大断面積に比例する取得動力は、この最大断面積を増大させない限り大きくならない。これには、ガイによって保持される機械の重大なハンディキャップであるタワーの高さを大きく増大させることが必要になる。
（ｉｉ）ブレードが所定の角度位置で動かないままになって、始動が困難になる可能性がある。
（ｉｉｉ）各タービンの回転毎に各ブレードに作用する接線方向および法線方向の空気力が変動する。これらの力は、連結アームに沿って伝達され、その後タービンの駆動軸に伝達される。その結果、駆動軸の基部に、特に上記力の法線成分に起因する揺動曲げモーメントが生じ、それが構造に対する大きな疲労に通じることになる。このモーメントは、
「前後方向」曲げモーメントと呼ばれる、風向きと平行な前方から後方へまたはその逆方向へ風車を傾斜させる傾向がある第１の成分と、
「横方向」モーメントと呼ばれる、風向きと垂直な面内で左から右へまたはその逆方向へ風車を傾斜させる傾向がある第２の成分との、
２つの成分を有している。
【０００９】
逆回転ツインタービンを並置することで、欠点（ｉ）、（ｉｉ）および（ｉｉｉ）を解消または低減させるタービンエンジンを形成可能であることが知られている。陸上用途向けを第一に設計されたそのようなタービンエンジンの大部分は、第１のタイプのＶＡＷＴを備えており、第２のタイプのＶＡＷＴを備えたものは少数である。反対に、ツインタービンの並置の短所は、単一ＶＡＷＴにおける入射風の向きに対する鈍感さを喪失すること、すなわち、ヨー調整が必要になることである。第２のタイプのタービンを備えた洋上風車を記載した米国特許第８，８２７，６３１号明細書、および側方のフェアリングによって挟まれ相当量の材料（タービンが備える空力調整装置もかさばったものである）を使用した中央の直立部品によって保持された第２のタイプのタービンを備えた風車を記載した文書である国際公開第２０１３／１７５１２３号パンフレットの例を挙げることができる。したがって、浮体式風力タービンの動力向上を追うことはできない。
【００１０】
そのため、材料面で経済的でありながら、上述の欠点の一部を低減または解消する、ツインタービンを備えた浮体式風力タービンを提案することが望ましい。
【００１１】
さらに、浮体式風力タービンは海岸から離れているため、コストのかかる介入を限定するために、予想される解決策は単純なままでなければならない。
【発明の概要】
【００１２】
実施形態の主題は、ツインタービンによって形成された浮体式風力タービンの上述の欠点の全てまたは一部を克服することである。
【００１３】
実施形態の別の主題は、材料を過多に使用することなく、上記風車の効率を増大させることである。
【００１４】
実施形態の別の主題は、タービンの回転時にタービンのピボット結合部に働く垂直荷重の変動を平滑化することである。
【００１５】
実施形態の別の主題は、ヨーの制御が不要になるように、風車の構造によって、風車の風上への指向を受動的に提供することである。
【００１６】
したがって、実施形態は、浮体式プラットホームと、該プラットホームに載ったタービンエンジンとを備えた浮体式風力タービンであって、タービンエンジンが、
第１の平面に対して対称に配置された第１および第２のクロスフロー型タービンであって、各タービンが、中央部とアームとをそれぞれ備えた複数枚のブレードからなり、中央部が、回転時に円筒を描くとともに両端でアームによって延出されており、アームがピボット結合部によって車軸要素にさらに結合されており、各タービンが、シャフトを除いて支持構造を備えた上部および下部の２つの水平フェアリングによって保持された第１および第２のクロスフロータービンと、
タービンのブレードの回転軸を含む第２の平面の風向き上流側においてタービン間に位置する垂直な中央パイロンに連結された上部および下部フェアリングによって形成されたシステムからなる、タービンを保持する構造と、
を備えた浮体式風力タービンを提供する。
【００１７】
実施形態によれば、タービンエンジンは、第２の平面の風向き上流側に位置するピボット軸を中心とした浮体式プラットホームに対する回動に適している。
【００１８】
実施形態によれば、アームは、ブレードの回転軸に対して垂直である。
【００１９】
実施形態によれば、各ブレードの中央部は、それぞれ関連するアームに対して４分の１円弧状のＬ字屈曲部によって連結されている。
【００２０】
実施形態によれば、各ブレードの中央部はまっすぐである。
【００２１】
実施形態によれば、各ブレードの中央部は、回転時のタービンが描く円筒との内接を維持しながら小さい傾斜角（５°未満）で撓む。
【００２２】
実施形態によれば、各ブレードに関して、ブレードの回転軸と平行に測定されたブレードの中央部の高さは、ブレードの回転軸と平行に測定された、ブレードの中央部に連結された２本のアーム間の高さの３分の２以上である。
【００２３】
水平フェアリングは以下のどちらか一方の支持構造を備えており、
すなわち、水平フェアリングは、アームを収容して入射風から保護することを可能にし、車軸要素とハブがフェアリング内部に完全に収容された、まとめて中程度材料効率支持構造（Ｍｏｄｅｒａｔｅｌｙ  Ｍａｔｅｒｉａｌ  Ｅｆｆｉｃｉｅｎｔ  Ｓｕｐｐｏｒｔｉｎｇ  Ｓｔｒｕｃｔｕｒｅ：ＭＭＥＳＳ）フェアリングと称する第１級支持構造を備えている。実施形態によれば、各ＭＭＥＳＳフェアリングは、フェアリングの車軸要素に固定されたカウルに部分的に閉じられたハウジングを備え、カウルの端縁とフェアリングの残部との間に、タービンのブレードが通過する環状の開口が残されている。実施形態によれば、各ＭＭＥＳＳフェアリングは、タービンのブレードのＬ字屈曲部のうち、２分の１から全部までの間でばらつく部分を収容している。これにより、上記フェアリングの幅は、フェアリングが収容するＬ字屈曲部の部分と関連して、タービンの直径からタービンの直径の一部までの間でばらつく可能性がある。実施形態によれば、ＭＭＥＳＳフェアリングは、第１の中央平面内において第２の平面の風向き下流側にある垂直安定化支柱にさらに連結されている。
または、水平フェアリングは、アームを入射風にさらしたままにし、車軸要素とハブがフェアリング内部に部分的に収容された、まとめて高度材料効率支持構造（Ｈｉｇｈｌｙ  Ｍａｔｅｒｉａｌ  Ｅｆｆｉｃｉｅｎｔ  Ｓｕｐｐｏｒｔｉｎｇ  Ｓｔｒｕｃｔｕｒｅ：ＨＭＥＳＳ）フェアリングと称する第２級の支持構造を備えている。各ＨＭＥＳＳフェアリングは、半翼型（まっすぐ、後方傾斜形、台形、楕円形など）によって形成されており、その端部の内側には、半翼型の外側に延びる回転ハブを備えたピボット結合部が配置されており、各ＨＭＥＳＳフェアリングには、タービンのブレードが、ハブと一体物を形成する回転ディスクを介して外側から取り付けられている。上記半翼型の幅は、ピボット結合部の要素を越えた直ぐのところまで延びている。
【００２４】
実施形態によれば、浮体式風力タービンの各ＭＭＥＳＳフェアリングは、タービン毎に、タービンの第１の平面と反対側に、タービンの上部および下部フェアリングを連結する垂直側方支柱をさらに備えている。
【００２５】
実施形態によれば、各ＭＭＥＳＳフェアリングは、第１の構造管によって中央パイロンに連結されるとともに第２の構造管によって垂直安定化支柱に連結された環状管を備えている。
【００２６】
実施形態によれば、各ＨＭＥＳＳフェアリングは、中央パイロンをピボット結合部に連結する前縁の近傍に、各半翼型の幅に応じた長尺の環状構造管を備えている。
【００２７】
実施形態によれば、各タービンは、各ブレードをブレードの上半部内に位置する点からタービンの上部ピボット結合部の回転部品まで連結する斜め牽引線と、各ブレードをブレードの下半部内に位置する点からタービンの下部ピボット結合部の回転部品まで連結する第２の斜め牽引線とを備えている。
【００２８】
実施形態によれば、各タービンは、タービンの各ブレードをブレード沿いの途中の近傍に位置する高さでタービンの回転軸上に配置された共通の結節点を介してタービンの他方のブレードに連結させる水平牽引線を備えている。
【００２９】
実施形態によれば、各タービンは、タービンのブレードによって駆動されるとともにタービンの下部フェアリングに収容された発電機を備えている。
【００３０】
実施形態によれば、発電機は、直接駆動式永久磁石同期発電機である。
【００３１】
実施形態によれば、発電機はディスクブレーキを備えている。
【００３２】
実施形態によれば、発電機が生み出す電気を送出するケーブルならびに／または発電機および／もしくはディスクブレーキを監視するケーブルならびに／または発電機および／もしくはディスクブレーキを制御するケーブルが、タービンの下部フェアリングの環状構造管内に配置されている。
【００３３】
実施形態によれば、タービンの上部および下部フェアリングの環状構造管は、保守作業者が通るのに適している。
【００３４】
実施形態によれば、浮体式風力タービンは、一方の上部フェアリングの上面に固定された少なくとも一つの光起電性パネルをさらに備えている。
【図面の簡単な説明】
【００３５】
これらの特徴および長所のみならず、他の特徴および長所も、非限定的に挙げられた特定の実施形態についての以下の説明において、添付の図面に基づいて詳細に開示されるであろう。
図１は、ＭＭＥＳＳフェアリングを備えた浮体式風力タービンの実施形態の部分概略斜視図である。
図２Ａおよび図２Ｂは、図１に示すタービンの一方の上部および下部のそれぞれの部分概略分解組立図である。
図３Ａおよび図３Ｂは、図１に示すタービンの一方の上部および下部の拡大部分概略断面図である。
図４は、ＭＭＥＳＳフェアリングを備えた浮体式風力タービンの部分概略斜視図である。
【詳細な説明】
【００３６】
発明の理解に有用な要素のみを記載し、図示する。明細書の残りの部分では、特に明記しない限り、「およそ」、「ほぼ」、「約」という表現は、プラスマイナス１０％、好ましくはプラスマイナス５％を意味する。また、「上部」、「下部」、「上方」、「下方」、「頂部」、「底部」という用語は、例えば、垂直方向にほぼ相当する、風車のタービン回転軸に対して定義されている。
【００３７】
図１は、ＭＭＥＳＳフェアリングを備えた浮体式風力タービン１０の実施形態の部分概略斜視図である。浮体式風力タービン１０は、水位より上で浮体式プラットホーム１４上に載ったタービンエンジン１２を備えている。
【００３８】
タービンエンジン１２は、回転軸Ａ、Ａ’をそれぞれ有する２つの並置されたクロスフロータービン２４と、上記回転軸を中心とする扁平回転楕円面形状の保持構造２６とを備えている。各クロスフロータービン２４は、上部および下部ＭＭＥＳＳフェアリング４２、４４に保持されている。上記フェアリングは、構造管６４によって中央パイロン２８に連結されるとともに構造管６４によって垂直安定化支柱３０に連結された支持構造（図２に図示）を備えている。上記パイロンおよび垂直安定化支柱は、両側に２つのタービン２４が対称に配置される中央垂直平面内に含まれている。垂直安定化支柱の断面は、タービン２４の回転軸に垂直な平面において、対称形状の翼型形状である。
【００３９】
このようにして、図２、図３Ａおよび図３Ｂに詳細に示す、上部および下部ＭＭＥＳＳフェアリング４２、４４に固定されたピボット結合部によって、軸線Ａ、Ａ’を有するタービンのブレード３２を支持することが可能になる。それにより、各タービン２４は、上述したクロスフロータービンにおけるようなシャフトを不要にすることができる。それにより、中央パイロン２８と垂直安定化支柱３０によって耐荷重機能がもたらされる。この結果、一つの同じタービン中の２つのハブを非連結にして、上部ピボット結合部から発生して下部ピボット結合部に向かう寄生的な曲げ応力を生じることなく、２つのハブ間の合わせ不良を許容することができる。特に、上部ピボット結合部から発生して下部ピボット結合部に向かう曲げモーメントの衝撃を避けることができる。
【００４０】
実施形態によれば、パイロン２８はほぼ三角形の断面を有しており、その断面は、円弧状の上流側表面と２つの平坦または凹状の側面とが中央平面に含まれる消失線に向かって下流側で合流するように、中央平面に対して対称である。このパイロンは、その上流側部分において、軸線Ｏを有する円筒状のタワーによって浮体式支持体に接続されており、その深さにおける伸びは、多くてタービンの直径の半分である。実施形態によれば、軸線Ａおよび軸線Ａ’を含む平面と、軸線Ａを含みパイロン２８と接する平面との間の角度は、風向きによる上流側で、３０°以下である。
【００４１】
パイロンの風向きにおける掃引形状は、タービンエンジンのピッチ軸に沿う二次モーメントに反比例する。ここで、このパイロンのモーメントは、その深さの伸びのせいで、同じ最大断面積を持つ円形タワーのモーメントよりもはるかに大きい。それにより、パイロンは、タービンのピボット結合部を介して伝達される長手方向の空力学的および機械的非定常応力をより吸収することができる。
【００４２】
実施形態によれば、各タービン２４は、少なくとも２枚、例として、図１では３枚のブレード３２を備えている。図１の右側に示すタービン２４のブレード３２は、軸線Ａを中心とする回転運動可能に取り付けられており、図１の左側に示すタービン２４のブレードは、軸線Ａ’を中心とする回転運動可能に取り付けられている。好ましくは、軸線Ａと軸線Ａ’は平行である。運動時、ブレード３２は、図１の右側に示すタービン２４の軸線Ａと、図１の左側に示すタービン２４の軸線Ａ’をそれぞれ有する、直径Ｄの回転円柱に内接する表面を掃引する。各ブレード３２は、直径Ｄの円柱内に含まれる中央部分３３を備えている。例えば、中央部分３３は、まっすぐで、軸線Ａまたは軸線Ａ’に平行である。この図では、中央部分３３のみが風にさらされるが、後述するように、ＭＭＥＳＳフェアリングの他の実施形態も考え得る。
【００４３】
ブレード３２の外形は、円柱同士を分ける中央平面に対して対称に円柱上に配分されている。それにより、ブレード３２は、中央区域でブレード３２が風上方向に移動するように、回転方向が逆である。
【００４４】
回転軸ＡまたはＡ’に垂直な平面において、各ブレード３２の断面は、中空の対称的もしくは非対称的両凸形、または二重曲率を有する外形に相当していてもよい。実施形態によれば、直径Ｄは２０ｍと８０ｍの間である。
【００４５】
図１に示す実施形態では、各タービン２４のブレード３２が、まっすぐな中央部３３を有しているが、各ブレード３２の中央部３３が回転円柱を掃引する限り、クロスフロータービンに由来するいかなるタイプのブレードが使用されてもよい。例えば、タービンは、中央部が螺旋形のブレードや、中央部が米国特許出願公開第２０１１／００６５３４号明細書に記載されているようなＶ字形のブレードを備えていてもよい。しかしながら、効率の急減を起こさないように、後退角が１０°を超えてはいけない。螺旋形ブレードやＶ字形ブレードを使用することは、ブレードが付与するトルクを一様にするという利点がある。
【００４６】
プラットホーム１４は、半水中型で、３点浮標式プラットホームに相当してもよい。プラットホーム１４は、星形に配置された３つの浮遊コラムまたは浮遊円柱１６を備えている。プラットホーム１４は、浮遊円柱１６にトラス２０で連結された、軸線Ｏを有する中央タワー１８をさらに備えている。プラットホーム１４は、星形の３つの浮遊コラム１６による静水圧剛性のみならず、コラムの下部に収められた、液体バラストもあり得るバラストによって、タービンの軸線ＡおよびＡ’が最大限の取得動力をもたらす垂直位置に近くなるように、安定化される。感知可能な姿勢の変化が起こらないように、これらコラム内の液体の配分が制御されてもよい。プラットホーム１４は、海底に結合された、例えばカテナリーを備えた係留システム（図示せず）によって所定位置に保持される。３点浮標式プラットホーム１４の利点は、原材料コスト、設置コストおよび海上での性能の間の満足のゆく妥協である。他のタイプの浮体式プラットホームが使用されてもよい。変形例によれば、プラットホーム１４が、本明細書の不可欠な一部を形成するとみなされる国際公開第２０１３／１７５１２４号パンフレットに記載されたプラットホームに相当してもよい。変形例によれば、プラットホーム１４が、はしけ、「スパー」プラットホームまたは張力脚プラットホーム（ｔｅｎｓｉｏｎ−ｌｅｇ  ｐｌａｔｆｏｒｍ：ＴＬＰ）に相当してもよい。喫水線が図１の線２２で図示されている。
【００４７】
好ましくは、タービンエンジン１２は、プラットホーム１４の中央タワー１８に取り付けられている。変形例によれば、タービンエンジン１２をほぼ垂直な軸線０を中心として浮体式プラットホーム１４に対して自由回転させるために、図１に図示しないピボット結合システムがタワー１８の頂部に設けられてもよい。この目的のため、パイロン２８が、ピボット結合部の雄型部分の役割をする、軸線Ｏを有する円筒部によって延長され、その円筒部が、タワー１８内に設けられた、ピボット結合部の雌型部分の役割をする、軸線Ｏを有する円筒状開口に入るようになっていてもよい。この結合は、ＨＡＷＴタワーの頂部に存在し、大型のころ軸受を収めた旋回リングの変形によってもたらすことができる。
【００４８】
このピボット結合は、タービンエンジンを自ら風上に向けさせるようにする。実際には、ＭＭＥＳＳフェアリング４２、４４が持つピボット結合部に対して各タービンが及ぼす法線力の合力が、軸線Ｏ上でピボット結合部が生成するモーメントの場合と同様に釣り合っている。それは、回転軸Ｏの下流側に軸線ＡおよびＡ’を配置することにより、実際には、回転を始めることなく、常に風車を風上に向けて安定化させる傾向があるからである。
【００４９】
ＭＭＥＳＳフェアリングを備えた風車に存在する垂直安定化支柱３０は、タービンエンジン１２の対称軸を通常運転時に風向きと平行に維持することに寄与する。実際には、垂直安定化支柱３０は、かなりのてこ作用を有する尾翼の役割をする。結果的に、ヨー制御が不要になって有利である。
【００５０】
タワー１８の頂部に結合システムが設けられない簡略化された実施形態では、風車のヨー安定化が依然として得策である。図１に示すプラットホーム浮体式支持体１４がこの補正空力モーメントを受ける。補正空力モーメントは、このタイプの浮体式支持体のヨーを制御するカテナリーの空力モーメントに付加される。
【００５１】
図２Ａおよび図２Ｂは、図１の右側に示すタービン２４の上部および下部のそれぞれの部分概略分解組立図である。両タービン２４は、中央平面に対して互いに対称形状の構造を有している。図１の右側に示すタービン２４について、図１の左側に示すタービンが対称形状の構造を有することを承知した上で、より詳細に説明する。
【００５２】
各ブレード３２は、好ましくは軸線ＡまたはＡ’とほぼ垂直であり、とりわけ水平である上部アーム３４と、好ましくは軸線ＡまたはＡ’とほぼ垂直であり、とりわけ水平である下部アーム３６とを備えており、上部アーム３４は、ブレード３２の中央部３３の上端に連結されており、下部アーム３６は、ブレード３２の中央部３３の下端に連結されている。実施形態によれば、各ブレード３２において、好ましくは半径Ｒの４分の１円形状を有する上部Ｌ字屈曲部３８が、各ブレード３２の中央部を上部アーム３４に連結させており、好ましくは半径Ｒの４分の１円形状を有する下部Ｌ字屈曲部４０が、各ブレード３２の中央部３３を下部アーム３６に連結させている。軸線Ａから測定された各アーム３４、３６の長さＬは、Ｒ＋Ｌ＝Ｄ／２となるようにされている。空力学的観点のみからは、Ｒの値は、タービンが生み出す動力を最大化するよう意図された妥協の結果である。一般に、無限媒質中で動作するタービンにおいては、Ｒが小さくなると、駆動部品３３が掃引する表面積を増大させる一方で、干渉抗力、ひいては関連する散逸源を増大させる。最適条件は、タービンの特定の幾何学的形状（Ｎ、ｃ、Ｄなど）毎に求められる。Ｒの上限は、軸線Ａと平行に測定された、ブレード３２の中央部３３に連結されたアーム３４、３６間の距離の１／６であり、言い換えれば、軸線Ａと平行に測定された各ブレード３２の中央部３３の高さは、上記距離の２／３以上である。
【００５３】
上部アーム３２は、上部ハブ５０に対して、開口を有しハブ５０に固定されたディスク５１を介して接続されている。上部ハブ５０は、図３Ａおよび図３Ｂに示す軸受およびブッシュを介して、軸線Ａを有する垂直の上部案内車軸要素５２を中心として回転可能に取り付けられており、上部車軸要素５２は、上部フェアリング４２の上側内面に固定されている。下部アーム３６は、下部ハブ５４に対して、開口を有しハブ５４に固定されたディスク５５を介して接続されている。下部ハブ５４は、図示しない軸受およびブッシュを介して、軸線Ａを有する垂直の下部案内車軸要素５６を中心として回転可能に取り付けられており、車軸要素５６は、下部フェアリング４２の下側内面に固定されている。
【００５４】
アーム３４、３６およびＬ字屈曲部３８、４０は特定断面の形状を有しており、それらの形状は、加えられるせん断応力の増大に耐えるように、ブレード３２の中央部３３とは異なる外形を有していてもよい。各ブレード３２のアーム３４、３６の断面の最大厚が、ブレード３２の中央部３３の断面の最大厚より大きくてもよく、例えば、ブレード３２の中央部３３の断面の最大厚の２倍以上であってもよい。
【００５５】
実施形態によれば、各Ｌ字屈曲部３８、４０の外形は、Ｌ字屈曲部が連結されているブレードの中央部の外形の特徴から、Ｌ字屈曲部が連結されているアームの外形の特徴への単調な移行を示している。
【００５６】
各ブレード３２は、炭素繊維を用いた複合材料から製造されてもよい。中央部に対して受ける応力の一様性を考慮して、その中央部に応じて同一パネルでのブレードの製造が展開されてもよい。パネルでの製造は、上部および下部アームに対しても行われてもよい。上部および下部Ｌ字屈曲部は別途製造される。その後、ブレードを再構成するために、これらのパネルが、現場でウイングジョイナ・アンド・ポケット・システムで接続されて、物流コストと設置コストが低減される。最終的に、ブレードのまっすぐなパネルが、引き抜き成形法に従って低コストで製造されてもよい。
【００５７】
図１の右側に示す上述したタービン２４は、下部および上部ＭＭＥＳＳフェアリングに連結されている。上記タービンブレードの幾何学的形状のみを扱ったが、その説明は、図４に記載されているような別の実施形態に相当するＨＭＥＳＳフェアリングに連結されたタービンのブレードの説明にも当てはまるであろう。上記のタービンのブレードの特徴の全てが依然として有効である。
【００５８】
実施形態によれば、各タービン２４の頂部では、上部アーム３４およびＬ字屈曲部３８が、回転ＭＥＳＳ上部フェアリング４２に設けられたハウジング４６内に収容されている。各タービン２４の底部では、アーム３６およびＬ字屈曲部４０が、回転下部フェアリング４４に設けられたハウジング４８内に収容されている。
【００５９】
各ＭＭＥＳＳフェアリング４２、４４は、ほぼ平坦なプレート７１の端縁に沿って延びる管７０を備えている。管７０は、上流側で中央パイロン２８と合流する構造管６４と、下流側で垂直安定化支柱３０に合流する構造管６４とに連結されている。各フェアリング４２、４４は、軸線Ａを有する円筒状部品７３から放射状に延びる補強リブ群７２をさらに備えており、円筒状部品、リブ７２および管７０はプレート７１とともに一体物を形成している。
【００６０】
実施形態によれば、軸線Ａを有するタービン２４の上部ＭＭＥＳＳフェアリング４２は、ハウジング４６を覆うとともに上部垂直案内車軸要素５２の下端に回転不可に固定された円形のカウル５８をさらに備えている。各ブレード３２の中央部３３の上端をハウジング４６内に入れるとともにＬ字屈曲部３８とアーム３４を介して上部ハブ５０と接続させるために、ハウジング４６の端縁とカウル５８との間に、図１には図示しないが、ブレード３２の中央部３３の厚さの３ないし５倍の幅ｅとＤ／２に等しい半径を有する環状の開口が設けられている。カウル５８の直径ＤｐはＤ−ｅに等しい。
【００６１】
軸線Ａを有するタービン２４の下部ＭＭＥＳＳフェアリング４４は、ハウジング４８を覆うとともに下部垂直案内車軸要素５６の上端に回転不可に固定された円形のカウル６０をさらに備えている。各ブレード３２の中央部３３の下端をハウジング４８内に入れるとともにＬ字屈曲部３８とアーム３４を介して下部ハブ５０と接続させるために、ハウジング４８の端縁とカウル６０との間に、ブレード３２の中央部３３の厚さの３ないし５倍の幅ｅとＤ／２に等しい半径を有する、図１に示す環状の開口６２が設けられている。カウル６０の直径ＤｐはＤ−ｅに等しい。
【００６２】
それにより、軸線Ａを有する各タービン２４は、直径Ｄの円筒上に位置するブレード３２の中央部３３が入射風を受けて駆動する上部および下部２つのフェアリング４２、４４間の中間区域と、アーム３４、３６およびハブ５０、５４を包み込む上部および下部フェアリング４２、４４内の２つの区域とからなる３つの区域に軸線Ａに沿って展開される。後者の２つの区域では、アーム３４、３６は、形状抗力を受け、タービン２４の動作に対していかなる駆動作用も及ぼさない。しかしながら、これらの部品に対するこの抗力は、閉じた空間内での純粋な回転運動からのみ生じるものである。それらの部品が、ＭＭＥＳＳフェアリング４２、４４がなければ抗力を増大させたであろう、入射風に伴う流動成分を免れるからである。この説は、水平なアーム３４が各上部フェアリング４２および下部フェアリングの上面および下面から十分に離れている場合に限り適用できる。さらに、カウル５８を備えた上部ＭＭＥＳＳフェアリング４２と、カウル６０を備えた下部ＭＭＥＳＳフェアリング４４は、ブレード３２毎に１回転中のブレード３２の各角度位置で、航空機の翼の両端の２つの大きなまっすぐのウィングレットが果たすような、ダリウス型Ｈタービンまたは螺旋形タービンで明らかな翼端抗力を低減する役割を採り入れている。
【００６３】
別の実施形態によれば、上記にかかわらず、カウル５８、６０の直径の値を構造的な理由でＤ−ｅ未満にすることが有利になる場合がある。大型の風車用に動作時に安定した状態を保つ大きな寸法のカウル５８、６０を製造することが難しい場合もあるからである。Ｌ字屈曲部の一部、例えば、半分までを、干渉抗力を増大させない範囲で、風にむき出しにしてもよい。その利点は、上部および下部ＭＭＥＳＳフェアリングおよび関連するカウルの直径を低減することである。
【００６４】
最後に、パイロンは、以下の４つの空力学的機能をもたらす。
（ｉ）パイロン２８の丸められた前面が、ブレード３２が減速させられる区域である風上への移動を保護し、それによってブレード３２の性能を向上させる。
（ｉｉ）パイロンが存在することにより、各タービン周辺の全ての流れを、入射流れに平行で回転軸を通る平面に対して非対称にする。ここで、無限媒体中の垂直タービンにとって少なくとも起動時にこの流れが対称であると、始動が困難になり、ブレードが一定の対称的な角度位置で静止したままの状態になる。
（ｉｉｉ）このパイロンの配置と幾何学的形状が様々な形で風車の風上側への安定性、ひいてはヨー制御に、特に後述するようにＨＭＥＳＳフェアリングの使用時においてどのように寄与するかが明らかにされている。
（ｉｖ）さらに、軸線Ａを有するタービンのブレード３２が、保持用中央パイロン２８に保持された上部および下部ＭＭＥＳＳフェアリング４２、４４間のピボット結合部によって保持されていることも述べられている。図２は、どのようにしてブレードが上部車軸要素５２および下部車軸要素５６をそれぞれ独立して軸とする回動を行い、各タービン２４用のシャフトを不要にさせるかを示すことによって、上記の点を詳細に説明している。また、中央のシャフトがないことは、最終的にその支持機能を中央パイロン２８が行うのでそうなったのであるが、ブレード３２の軸線Ａを中心とする回転過程の下流側ディスク半体の通過時にブレード３２を乱す渦、特にフォンカルマン渦列系を防止する。さらに、これらの系の周波数（無次元パラメータＶｉ／ａ、ａはシャフトの直径、ストローハル周波数とも称する）は、Ｖｉの増加とともにタワーの固有振動数に近づくので、いくつかの問題を引き起こす。これらの問題が解消される。
【００６５】
また、各ＭＭＥＳＳフェアリング４２、４４は、ピッチダウンモーメントに寄与する翼型の役割も採り入れている。
【００６６】
さらに、構造管６４内には、ディスブレーキ、取得動力取り出し用電気ケーブル、将来的に保守作業者がフェアリング外から特定のアクセス路（図示せず）を介してフェアリング内にアクセスする手段など、発電機箱内の部品の電気的監視／制御回路の全てが通っている。様々な電気装置やプログラミング可能論理制御器によって風車の機能を管理する制御キャビネットが、中央パイロン２８の基部および／またはタワー１８の基部に設置されてもよい。
【００６７】
実施形態によれば、ブレード３２毎に、撓み防止斜め牽引線６６が、特定の軸受またはブッシュによって上部垂直案内要素５２の下端部回りに回動可能に取り付けられた環状部品６７を、ブレード３２の上半分内に位置する高さのところに連結しており、撓み防止斜め牽引線（図示せず）が、特定の軸受またはブッシュによって下部垂直案内車軸要素５６の上端部回りに回動可能に取り付けられた環状部品を、ブレード３２の上半分内に位置する高さのところに連結している。牽引線６６は、ケーブル、ロープ、鎖、形材等に相当してもよい。これら２本の牽引線は、ブレードの変形を半径方向で一様にするために中央部分３３全体にわたって適切に配分されて、一方では、下方のケーブルで名目運転時の空気力（揚力および抗力）に対して優勢な遠心力を打ち消させ、他方では、上方のケーブルでタービンの停止時毎に重力の影響で垂れ下がろうとする、軸線Ａを有するタービン２４のアーム３４、３６の水平性を維持させることができる。
【００６８】
最後に、タービン２４毎に、特定形状の外側垂直側方支柱６８が、タービン２４の中央平面とは反対側で、タービン２４のＭＭＥＳＳフェアリング４２、４４同士を有利に連結させている。
【００６９】
中央パイロン２８、垂直安定化支柱３０、側方支柱６８、およびフェアリング４２、４４は、翼の製造用に航空機製造で使用される材料、例えば、複合材料から製造されてもよい。
【００７０】
図３Ａおよび図３Ｂは、図１に示すタービン２４のうちの一方の、ＭＭＥＳＳフェアリングを備えた浮体式風力タービン１０の上部および下部のそれぞれの拡大部分概略断面図である。
【００７１】
図３Ａに示すように、上部フェアリング４２は、上部ハブ５０を上部車軸要素５２に連結するピボット結合部７４を収容している。例えば、ピボット結合部７４は軸受で形成されている。
【００７２】
図３Ｂに示すように、下部フェアリング４４は、下部ハブ５４を下部車軸要素５６に連結するピボット結合部７６を収容している。例えば、ピボット結合部７６は軸受で形成されている。さらに、下部フェアリング４４は、タービン２４によって供給される機械的動力を出力する発電機８０も収容している。実施形態によれば、発電機８０は、直接駆動式永久磁石同期発電機である。発電機８０のステータ８２は、プレート７１、円筒状部品７３およびディスク５５によって画定されたエンクロージャ８８内に収められた支持体８６上に配置された巻線８４を備えている。発電機８０のロータ９０は、ハブ５４と一体物を形成するディスク５５に固定された、軸線Ａを有する円筒状部品９２を備えており、円筒状部品９２には、巻線８４に面して配置された永久磁石９４が装備されている。ロータ９０は、補強リブ９５をさらに備えていてもよい。ロータ９０とステータ８２との間で交換される流れは、したがって、放射状である。直接駆動式永久磁石同期発電機８０には、下部フェアリング４４内で空間を占める増速歯車装置を必要とせず、厚みを増大させることなく、可変速で動作可能であるという利点と、高い動力対重量比を有するという利点がある。発電機８０には、ロータ５５と一体物を形成するディスク９７と、下部フェアリング４４に固定されたキャリパー９８とを備えたディスクブレーキ９６が装備されている必要がある。
【００７３】
図４は、上部ＭＭＥＳＳフェアリング１２６および下部ＭＭＥＳＳフェアリング１２８を備えた浮体式風力タービン１２０の実施形態の部分概略斜視図である。浮体式風力タービン１２０は、図１に示す浮体式風力タービン１０の要素の全てを備えているが、各タービン２４において、上部ＭＭＥＳＳフェアリング４２または下部ＭＭＥＳＳフェアリング４４が、ＨＭＥＳＳフェアリングと呼ばれる、空間要求を削減させた上部支持構造１２６または下部支持構造１２８に置き換えられている点で異なる。さらに、垂直安定化支柱３０が存在しない。
【００７４】
上部ＨＭＥＳＳフェアリング１２６および下部ＨＭＥＳＳフェアリング１２８は、それぞれ、パイロン２８に連結された半翼型（まっすぐ、後方傾斜状、台形、楕円形など）を備えており、その端部には、タービン２４用にピボット結合部（図示せず）が配置されている。上部ＨＭＥＳＳフェアリング１２６および下部ＨＭＥＳＳフェアリング１２８は、上部および下部車軸要素（図示せず）をそれぞれ備えている。上部車軸要素および下部車軸要素には、図４に図示しない軸受またはブッシュによって上部および下部ハブ５０、５４（一部図示）が回転可能に取り付けられており、ハブのＨＭＥＳＳフェアリング外への延出のために円形の開口が設けられている。ハブ５０、５４の外側部分に固定された上部外側ディスク５１および下部外側ディスク５５が、ブレード３２のアーム３４、３６によって駆動され、これらの要素は、タービンの一体部分を形成している。
【００７５】
本実施形態では、下部および上部ＨＭＥＳＳフェアリング１２６、１２８が、図２Ａおよび図２Ｂに示すＭＭＥＳＳフェアリングと共通のいくつかの機能をもたらす（およびその機能からそれに続く利点を導き出す）。まず、支持機能が、前縁近傍で中央パイロンに連結された、各半翼型の幅に応じた長尺の環状構造管（図示せず）によって部分的にもたらされる。その場合、支持機能は、航空機の翼に使用される従来の手段（図示せず）、すなわち、上記構造管と平行な翼桁、リブ、および内部ケーブルによってもたらされる。
【００７６】
上部フェアリング１２６に関しては、内部ケーブルに加えて、図４に示すように、パイロン２８頂部の縦材の上部から半翼型の車軸要素までつながるガイシステム１３０の外部ケーブルが追設され、下部フェアリング１２８に関しては、パイロン２８の底部から半翼型の車軸要素までつながる外部支持材１３２が追設されてもよい。
【００７７】
それにより、下部および上部ＨＭＥＳＳフェアリングに関して、環状構造管は、将来的に保守作業者によるフェアリング内外でブレードが生み出す機械的動力を伝達する部品へのアクセス手段を提供する。最後に、下部ＨＭＥＳＳフェアリングのみに関して、上記構造管は、保守作業者に対して、ディスクブレーキや、取得動力取り出し用の電気ケーブルなど、発電機箱内の部品の監視／制御電気回路へのアクセス手段をさらに付与する。
【００７８】
最後に、駆動シャフトを必要としないので、ＭＭＥＳＳフェアリングと共通の構造的および空力的利点を有する。
【００７９】
ブレード３２のＬ字屈曲部３８、４０およびアーム３４、３６が外側に出たままのＨＭＥＳＳフェアリングは、ブレード３２の形状それ自体に、寄生抗力を低減させる機能を付与している。もはや保護されてないアーム３４、３６は、ＭＭＥＳＳフェアリングの場合よりも強い抗力を受ける可能性がある。一方、軸線Ａと垂直な上部および下部アーム３４、３６から延びるブレード３２の作動部３３の端部に位置するＬ字屈曲部３８、４０によって形成されるアセンブリは、ＭＭＥＳＳフェアリングよりも表面積が小さいウィングレットに例えることができる。ＨＭＥＳＳフェアリングの場合、Ｌ字屈曲部３８、４０の曲率半径を調整することで、干渉抗力も低減させることができる。中央のシャフトがないので、ブレード３２が軸線Ａ中心の回転過程における下流側ディスク半体を通過する際にブレード３２を乱す渦、特にフォンカルマン渦列系も防止される。結論として、ＨＭＥＳＳフェアリングおよびＭＭＥＳＳフェアリングの存在によって得られる寄生抗力低減に関する利点は、全体として大きく、同程度である。
【００８０】
これらの利点は、支持構造を備えた２つのタイプのフェアリングに支持されたタービン２４が供給する動力の値に大きな影響を及ぼす。実際には、両タイプのフェアリングに共通する、風車の一般的な構造により、タービンの回転区域に入り込むことなくタービンをその上下端で保持し、フェアリングを支持する共通のパイロン２８を回転区域外に置くことにより、揚力の原理で動作するＶＡＷＴの２種類の主要な変形例の特徴を有利に組み合わせることが可能になる。ダリウス型タービンからは、低減されたソリディティＳによる効率および高い最適進行率λ０が、Ｈ型タービンからは、特に牽引線によって維持される矩形に由来する、与えられた高さに対してダリウス型タービンよりかなり大きな最大断面が採り入れられる。
【００８１】
実施形態によれば、遠心力と重力に対抗するために、図１と同様に、図２に示す部品６７と類似するが、外部に位置する上部ディスク５１の中心部の周りに固定された環状部品を、ブレード３２の上半分内に位置する締結点でブレード３２に連結させる撓み防止斜め牽引線６６（図４には図示せず）を使用することが常に可能である。有利なように、第２の斜め牽引線（図示せず）が、外部に位置する下部ディスク５５の中心部の周りに固定された環状部品を、ブレード３２の下半分内に位置する締結点でブレード３２に連結させてもよい。注目すべきなのは、ＨＭＥＳＳフェアリングが、ＭＭＥＳＳフェアリングに関して上述したものとは異なる、ピボット結合部への締結方法を提供することである。後者の場合、ディスクが内部にあるため、外部の要素だけの周りに追加の軸受を導入し、固定された上部垂直車軸要素５２の下端がカウルを支持する必要があった。
【００８２】
実施形態によれば、遠心力だけに対抗するために、一水平面内において、ブレード３２の中間部の近くに位置する点を回転軸上に位置する点につなぐ撓み防止牽引線を導入することも可能である。図４に示すような２枚のブレードを有するタービンの場合、これらの撓み牽引線が１本の線に削減される。逆に言えば、この解決策がＭＭＥＳＳフェアリングが存在する場合に使用されてもよい。
【００８３】
実施形態によれば、各牽引線６８または図１における各牽引線６６が、ブレード３２の下半分にある補完物とともに、特定形状のスリーブで覆われたケーブルを含み、ケーブルがブレード３２と接する区域を除くケーブルのほぼ全長にわたってスリーブが延びていてもよい。スリーブは、ポリマーからなっていてもよい。スリーブが対称形状の輪郭形状であってもよい。
【００８４】
上述のタワー１８の頂部に結合用のシステムが設けられている実施形態では、ヨー制御が不要である。ＨＭＥＳＳフェアリング１２６、１２８が持つピボット結合部に対して各タービン２４が及ぼす法線力の合力は、Ｏにおいてピボット結合部が生じるモーメントの場合と同様に釣り合っている。回転軸Ｏの下流側に軸線ＡおよびＡ’を配置することにより、回転を始めることなく、常に風車を風上に向けて安定化させる傾向となる。ＨＭＥＳＳフェアリングを備えた風車１２０において有利に延ばされたパイロン２８は、例えば、タービンの直径の半分に達しており、この風上方向の安定化をさらに増強する。実際には、（ｉ）風によりさらされ、（ｉｉ）主にパイロン２８の軸線Ｏの下流側に配置されているパイロン側面に及ぼす風の作用が、尾翼の働きをする。第３の理由として、最も風にさらされるタービン２４が、パイロン２８と連帯して最も風にさらされないタービン２４を保護する。風が第１のタービン２４に及ぼす総抗力は、第２のタービン２４に及ぼす総抗力よりも大きく、結果としてパイロン２８の基部において推定されるトルクも補正トルクである。
【００８５】
タワー１８の頂部に上記結合システムが設けられていない実施形態では、図１に示すプラットホーム浮体式支持体１４が、この補正空力モーメントを受ける。この補正空力モーメントは、浮体式支持体のヨーを制御するとともに通常運転時にタービンエンジン１２の対称軸を風向きと平行に保持するのに寄与するカテナリーの空力モーメントに付加される。
【００８６】
図４に示す実施形態によれば、タービンに２枚のブレードが装備されている。この選択は、緊急停止後のタービンを安定化させるために非常に好ましく、この目的のため、タービンブレードの回転軸を含む平面内に２枚のブレードがとどまる角度構成、すなわち、駆動力が最小限または負にもなる構成で両タービンを停止させる必要がある。
【００８７】
種々の変形例を有する様々な実施形態について上述した。当業者であれば、進歩性を証明することなく、これら様々な実施形態および変形例の様々な要素を組み合わせることが可能であることに気付くであろう。
【図１】
2019507847.tif 000003
【図２Ａ】
2019507847.tif 000004
【図２Ｂ】
2019507847.tif 000005
【図３Ａ】
2019507847.tif 000006
【図３Ｂ】
2019507847.tif 000007
【図４】
2019507847.tif 000008
【国際調査報告】
2019507847.tif 000009
2019507847.tif 000010
2019507847.tif 000011
2019507847.tif 000012